(57)【要約】【課題】簡単かつ安価な構成でありながら、災害時やアウトドアでの使用時に、確実に着火できる缶入りマッチを提供する。【解決手段】この缶入りマッチは、蓋体２付きの缶１０であって、この蓋体２の内側にマッチ軸２０の頭薬２２を擦り合わせることにより着火する擦合着火部３を設けるとともに、缶体１に蓋体２を嵌めた状態で、擦合着火部３と反対側に頭薬２２がくるようにしてマッチ軸２０を缶体１内に収納し、かつ擦合着火部３とマッチ軸２０との間を隔離する厚紙４などを設けたものである。【選択図】図１
0003147865.tif 000002
【実用新案登録請求の範囲】
【請求項１】
蓋付きの缶入りマッチであって、
蓋の内側に、マッチ軸の頭薬を擦り合わせることにより着火する擦合着火部を設けるとともに、缶の開口部を蓋で塞いだ状態で擦合着火部と反対側に頭薬がくるようにしてマッチ軸を該缶内に収納したことを特徴とする缶入りマッチ。
【請求項２】
擦合着火部とマッチ軸との間を隔離する隔離手段を設けたことを特徴とする請求項１記載の缶入りマッチ。
【請求項３】
缶から蓋を外した状態で、マッチ軸の頭薬と反対側が該缶から突出するようにしたことを特徴とする請求項１又は２記載の缶入りマッチ。
【請求項４】
缶に蓋を嵌めた状態で、該缶を密閉するシール手段を設けたことを特徴とする請求項１〜３のいずれか１項に記載の缶入りマッチ。
【請求項５】
缶を円筒状のスチール缶としたことを特徴とする請求項１〜４のいずれか１項に記載の缶入りマッチ。
【請求項６】
缶と蓋とを一体的に形成するとともに、蓋に設けられた引き金を引っ張ることにより、缶から蓋を取り外し可能な構成としたことを特徴とする請求項１〜５のいずれか１項に記載の缶入りマッチ。
【考案の詳細な説明】
【技術分野】
【０００１】
本考案は、缶入りマッチに関するものであって、詳しくはアウトドアや災害時等に使用可能な缶入りマッチに係るものである。
【背景技術】
【０００２】
図５は一般的なマッチ５０を示す斜視図である。一般的なマッチ５０は、図５に示すように、外箱５１に挿脱自在にはめ込まれた内箱５２内に、複数のマッチ軸２０がその着火部となる頭薬２２を同じ向きに揃えて収納されている。
【０００３】
そして、使用者は１本のマッチ軸２０の軸木２１をもって取り出し、外箱５１の側面に塗布等された側薬５３に頭薬２２を擦り合わることにより、当該マッチ軸２０を着火するようになっている。大型のマッチ箱に多量のマッチ軸を装填したものについても、基本的には同様の構成となっている。
【０００４】
ここで、大型台風や巨大地震などの災害で、被災地域が広範かつ被災者の人数が膨大となったときに、避難場所や救援物資が入手できず、ガス・電気などのライフラインが確保できなくなることが想定される。
【０００５】
かかる災害時に、被災者が灯りや暖をとるために、木片などに着火する手段として、マッチ５０は欠くことができないものとなるところ、前記マッチ５０では、防水面あるいは防湿面での配慮が十分でないので、災害時に水に濡れてしまい、あるいは湿気てしまって、肝心なときに使用できないおそれがあった。災害時以外のアウトドアでの使用時にも、マッチ５０が水に濡れてしまい、あるいは湿気てしまって、肝心なときに使用できないおそれがあった。
【０００６】
このため、例えば特許文献１では、大形の箱内に装填されているマッチの軸を開口部から取出し得るようにした箱入りマッチにおいて、前記開口部を覆い得るカバーを設けると共に、このカバーと開口部周辺との間には外気を遮断するためのシール部を設け、しかもシール部はカバーに形成された線状の雄形突部と開口部周辺に形成され、前記雄形突部に着脱可能に嵌り得る溝状の雌形嵌合部とを有する線状ファスナーを備えてなり、前記開口部を開閉可能もしくは着脱可能に蓋をなし得るようにした防湿マッチが開示されており、このマッチ箱の側面には、マッチの軸を擦り合わせることにより着火する擦合着火部を設けている。
【特許文献１】実公平６−５０５２０号公報
【考案の開示】
【考案が解決しようとする課題】
【０００７】
しかしながら、前記特許文献１の技術でも、マッチ箱の側面に擦合着火部を設けているため、災害時やアウトドアでの使用時に、当該着火部が水に濡れてしまい、肝心なときに使用できないおそれがあった。
【０００８】
ここで、前記特許文献１の技術において、カバー部の内側に、マッチの軸を擦り合わせることにより着火する擦合着火部を設けることも考えられるものの、そのような場合には、地震による振動等が加わると、マッチの軸がマッチ箱内でひとりでに移動してしまい、その頭薬が前記擦合着火部と擦り合わされて、ひとりでに着火されてしまうおそれがあったため、実現性に欠けるものとなる。
【０００９】
前記特許文献１では、かかる事態を防ぐべく、マッチ箱を外箱と内箱とに分けて、その内箱の外側に擦合着火部を設けるようにした構成としているが、複雑かつ高価なものとなり、これも実現性に欠けるものであるといわざるをえない。仮にマッチ軸を蓋付きの缶内に閉じ込めた、いわゆる缶入りマッチとすることで、簡単かつ安価な構成としたとしても、該缶の外側に擦合着火部を設けざるをえないことから、災害時やアウトドアでの使用時に、確実に着火できるものとはならない。
【００１０】
本考案は、上記事情に鑑みたものであり、その目的とするところは、簡単かつ安価な構成であるにもかかわらず、災害時やアウトドアでの使用時に、確実に着火できる缶入りマッチを提供することである。
【課題を解決するための手段】
【００１１】
本考案は、蓋付きの缶入りマッチであって、蓋の内側に、マッチ軸の頭薬を擦り合わせることにより着火する擦合着火部を設けるとともに、缶の開口部を蓋で塞いだ状態で擦合着火部と反対側に頭薬がくるようにしてマッチ軸を該缶内に収納したことを特徴とするものである。
【００１２】
本考案によれば、蓋の内側に、マッチ軸の頭薬を擦り合わせることにより着火する擦合着火部を設けるとともに、缶の開口部を蓋で塞いだ状態で擦合着火部と反対側に頭薬がくるようにしてマッチ軸を該缶内に収納したので、災害時やアウトドアでの使用時に、当該擦合着火部が水に濡れてしまい、あるいはマッチ軸の頭薬が湿気てしまって、肝心なときに使用できないおそれがない。
【００１３】
また、地震による振動やアウトドア活動による振動などが缶に加わったとしても、マッチの軸が缶内でひとりでに移動してしまい、その頭薬が前記擦合着火部と擦り合わされて、ひとりでに着火されてしまうおそれがない。その結果、簡単かつ安価な構成でありながら、災害時やアウトドアでの使用時に、確実に着火できるものとなる。
【００１４】
請求項２記載の発明のように、擦合着火部とマッチ軸との間を隔離する隔離手段を設けることが好ましい。この隔離手段としては、例えば厚紙を使用することができる。
【００１５】
請求項２記載の発明によれば、擦合着火部とマッチ軸との間を隔離する隔離手段を設けたので、地震による振動等が加わったとしても、マッチの軸がマッチ箱内でひとりでに移動してしまい、その頭薬が前記擦合着火部と擦り合わされて、ひとりでに着火されてしまうおそれが確実になくなる。
【００１６】
また、マッチ軸の缶内での収納の向きが正しく装填されていた場合であっても、このように、隔離手段を設けておくことにより、地震による振動時等にマッチ軸の軸木の軸端が擦合着火部に擦れ合って擦合着火部を損傷させてしまうことを防止できる。
【００１７】
ところで、マッチ軸は、缶の開口部付近にまでの長さしかないので、特に多数のマッチ軸がぎっしりと缶内に詰め込まれた状態では、該マッチ軸を１本ずつ缶外に取り出すことが困難となる場合がある。そこで請求項３記載の発明のように、缶から蓋を外した状態で、マッチ軸の頭薬と反対側が該缶から突出するようにすることが好ましい。
【００１８】
請求項３記載の発明によれば、缶から蓋を外した状態で、マッチ軸の頭薬と反対側が該缶から突出するようにしたので、特に多数のマッチ軸がぎっしりと缶内に詰め込まれた状態であっても、そのマッチ軸を１本ずつ缶外に取り出すことが容易になる。
【００１９】
請求項４記載の発明のように、缶に蓋を嵌めた状態で、該缶を密閉するシール手段を設けることが好ましい。このシール手段としては、例えば防水テープを使用することができる。
【００２０】
請求項４記載の発明によれば、缶に蓋を嵌めた状態で、該缶を密閉するシール手段を設けたので、災害時やアウトドアでの使用時に、当該擦合着火部が水に濡れてしまい、あるいはマッチ軸の頭薬が湿気てしまって、肝心なときに使用できないおそれが確実になくなる。
【００２１】
また、災害時やアウトドア活動の際に予期しない外力が加わって、缶が潰れて使用できなくなるおそれがある。そこで、請求項５記載の発明のように、缶を円筒状のスチール缶とすることが好ましい。
【００２２】
請求項５記載の発明によれば、缶を円筒状のスチール缶としたので、災害時やアウトドア活動の際に予期しない外力が加わっても容易に潰れないものとなる。
【００２３】
請求項６記載の発明のように、缶と蓋とを一体的に形成するとともに、蓋に設けられた引き金を引っ張ることにより、缶から蓋を取り外し可能な構成とすることが好ましい。
【００２４】
請求項６記載の発明によれば、缶と蓋とを一体的に形成するとともに、蓋に設けられた引き金を引っ張ることにより、缶から蓋を取り外し可能な構成としたので、万一にもいたずらされて開封されることがなくなり、災害時やアウトドアでの使用時に、当該擦合着火部が水に濡れてしまい、あるいはマッチ軸の頭薬が湿気てしまって、肝心なときに使用できないおそれがさらに確実になくなる。
【考案の効果】
【００２５】
本考案によれば、蓋の内側に、マッチ軸の頭薬を擦り合わせることにより着火する擦合着火部を設けるとともに、缶の開口部を蓋で塞いだ状態で擦合着火部と反対側に頭薬がくるようにしてマッチ軸を該缶内に収納したので、災害時やアウトドアでの使用時に、当該擦合着火部が水に濡れてしまい、あるいはマッチ軸の頭薬が湿気てしまって、肝心なときに使用できないおそれがない。
【００２６】
また、地震による振動やアウトドア活動による振動などが缶に加わったとしても、マッチの軸が缶内でひとりでに移動してしまい、その頭薬が前記擦合着火部と擦り合わされて、ひとりでに着火されてしまうおそれがない。その結果、簡単かつ安価な構成でありながら、災害時やアウトドアでの使用時に、確実に着火できるものとなる。
【考案を実施するための最良の形態】
【００２７】
図１は本考案の一実施形態に係る缶入りマッチの概略構成を示す分解斜視図、図２はその組み立てた状態を示す側面図である。
【００２８】
本実施形態に係る缶入りマッチは、図１，図２に示すように、全体がスチール製でかつ円筒形状をなす缶１０と、この缶１０内に収納される木製のマッチ軸２０とからなっている。なお、図１，図２の缶１０内には、１本乃至数本のマッチ軸２０が装填されている場合を例示しているが、実際の製造時における缶１０内には、多数のマッチ軸２０がぎっしりと詰め込まれており、使用者による使用につれて、マッチ軸２０が徐々に減少していくものである（図３〜図５においても同様である）。
【００２９】
缶１０は、さらに一端側が有底でかつ他端側が開口された缶体（缶の本体に相当する。）１と、この缶体１の開口部に嵌脱自在に嵌め込まれた蓋体（缶の蓋に相当する。）２と、蓋体２の内側に設けられた擦合着火部３とから構成されている。
【００３０】
缶１０の缶体１の最大高さは、この缶体１から蓋体２を外したときに、マッチ軸２０が缶体１の開口部から突出しない程度とし、また缶体１の直径は、マッチ軸２０が少なくなったときにも缶体１内でひっくり返って逆向きとならないように当該マッチ軸２０の全長より小さくするとともに、かつ、缶体１の開口部から使用者がマッチ軸２０を１本ずつその外部に容易に取り出すことができる程度のものとしている。
【００３１】
擦合着火部３は、赤燐・硫化アンチモン等からなる発火剤と、合成樹脂からなる接着剤とから構成されており、その擦合着火部３をシール状としたものを前記蓋体２の内側に貼り付けている。ただし、場合によっては、前記蓋体２の内側に前記擦合着火部３を直接塗布してもよい。
【００３２】
この缶１０の缶体１内において、マッチ軸２０と擦合着火部３とを隔離する隔離手段としての円形に切り抜かれた厚紙４と、缶体１と蓋体２とを嵌め込んだ状態で、該缶１０を密閉するシール手段としての例えば透明ビニール製の防水テープ５が、缶体１と蓋体２との境界部分に巻回されている（図２参照）。
【００３３】
マッチ軸２０は、さらに軸木２１と、この軸木２１の一端側に塗布された頭薬２２とから構成されている。
【００３４】
軸木２１は、例えば「アスペン」や「はくよう」といった雑木を断面四角の長尺状に成形したものであって、第二燐酸アンモニウム等からなり、該軸木２１の燃焼後の残火を防止するインプル剤と、パラフィンからなる燃焼剤とを浸潤させている。
【００３５】
頭薬２２は、塩素酸カリからなる酸化剤と、硫黄・松脂・膠等からなる燃焼剤と、ガラス粉・雲母・クレー粉（粘土）からなる調節剤と、膠からなる接着剤とから構成されている。
【００３６】
以下、この缶入りマッチの製造方法について概略説明する。
【００３７】
まず、原木をベニヤ状にした板を重ねて裁断し、発火の際に燃えカスが落ちないように軸木にしみこませて、いわゆるインプル加工を行う。この軸木にパラフィンをしみこませ、調合した頭薬をつけて、乾燥する。
【００３８】
ついで、別途製造しておいた缶１０の缶体１内に複数のマッチ軸２０をぎっしりと詰め込むが、このとき各マッチ軸２０の頭薬２２が缶体１の底部に向くようにして収納する。各マッチ軸２０の頭薬２２とは反対側となる缶体１の開口部に厚紙４を載せて、その上から蓋体２を嵌め込む。缶体１と蓋体２との嵌め込み部分に防水テープ５を巻回すると、缶入りマッチが完成する。
【００３９】
なお、厚紙４は、上記のように、缶１０の缶体１内に複数のマッチ軸２０をぎっしりと詰め込むが、このとき各マッチ軸２０の頭薬２２が缶体１の底部に向くようにして確実に収納する場合には、当該厚紙４は必ずしも必要ではない。また、厚紙４の代わりに、合成樹脂製の円板などを使用することとしてもよい。ただし、環境にやさしいマッチとするためには、ゴミ問題を生じうる合成樹脂製の円板などよりも厚紙４を使用するのが好ましい。
【００４０】
ただし、万一マッチ軸２０の缶体１内での収納の向きが、たとえ１本だけでも間違って装填されていた場合には、このように厚紙４などを介在させておけば、振動時にマッチ軸２０の頭薬２２が擦合着火部３に擦れ合ってひとりでに着火することをより確実に防止できることとなる。
【００４１】
また、たとえマッチ軸２０の缶体１内での収納の向きが正しく装填されていた場合であっても、このように厚紙４などを介在させておけば、前記振動等が加わったときに、マッチ軸２０の軸木２１の軸端が擦合着火部３に擦れ合って、その擦合着火部３を損傷させてしまうおそれもなくなるという、メリットがある。
【００４２】
また、通常は、缶１０の缶体１と蓋体２との嵌め合い状態が良好であれば、その水密性が十分に確保できるので、特に防水テープ５を設ける必要はない。ただし、防水テープ５を缶１０の缶体１と蓋体２との嵌め合い部分に巻回していた場合には、万一のいたずらなどでその防水テープ５によるシール性が破られると、既に開封されていることが明白となるため、防災時に使用しようとしたときに、マッチ軸２０が湿気ており、使用できなくなるといった不具合がなくなる。
【００４３】
以上説明したように、本実施形態の缶入りマッチによれば、蓋体２の内側に、マッチ軸２０の頭薬２２を擦り合わせることにより着火する擦合着火部３を設けるとともに、缶１０の開口部を蓋体２で塞いだ状態で擦合着火部３と反対側に頭薬２２がくるようにしてマッチ軸２０を該缶１０内に収納したので、災害時やアウトドアでの使用時に、当該擦合着火部３が水に濡れてしまい、あるいはマッチ軸２０の頭薬２２が湿気てしまって、肝心なときに使用できなくなるおそれがなくなる。
【００４４】
また、地震による振動やアウトドア活動による振動等が缶１０に加わったとしても、マッチ軸２０が缶１０内でひとりでに移動してしまい、その頭薬２２が前記擦合着火部３と擦り合わされて、ひとりでに着火されてしまうおそれがない。その結果、簡単かつ安価な構成でありながら、災害時やアウトドアでの使用時に、確実に着火できるものとなる。
【００４５】
なお、上記実施形態では、各マッチ軸２０は、缶１０の缶体１の開口部付近にまでの長さしかないので、特に多数のマッチ軸２０がぎっしりと缶１０の缶体１内に詰め込まれた状態では、該マッチ軸２０を１本ずつ缶体１０の外に取り出すことが困難となる場合がある。そのため、各マッチ軸２０の軸木２１が缶体１の開口部から突出するようにすることが好ましい。
【００４６】
しかしながら、缶体１の高さを低くすると、その製造が困難となることから、ここでは、図３に示す変形例１に係る缶１０ａのように、缶体１の高さはそのままにして、いわゆる上げ底６を設けるとともに、蓋体２ａを若干高い目にしてもよい。これにより、各マッチ軸２０の軸木２１が缶体１の開口部から突出するようにするから、特に多数のマッチ軸２０がぎっしりと缶１０の缶体１内に詰め込まれた状態であっても、その缶体１の開口部から各マッチ軸２０を容易に取り出すことができるようになる。
【００４７】
さらに、この上げ底６と缶体１の底との間に、例えば図示しない乾燥剤を入れておいてもよい。その場合には、缶１０ａ内における長期保存中にマッチ軸２０が湿気てしまうおそれがなくなる。
【００４８】
また、上記実施形態及び変形例１では、缶入りマッチの缶１０，１０ａの缶体１に蓋体２，２ａを嵌め込んでいるので、蓋体２，２ａを容易に開閉することができるが、その他、缶１０，１０ａの缶体１に、蓋体２，２ａをねじ込むこととしても、同様に蓋体２，２ａを容易に開閉することができるようになる。
【００４９】
しかしながら、この缶入りマッチを長期保存しておいて本当の非常時にのみ使用するのが好ましい。その場合には、図４に示す変形例２に係る缶１０ｂのように、缶体１と蓋体２とを一体的に形成するとともに、蓋体２に設けられたプルタブ（引き金に相当する。）７を引っ張ることにより、缶体１から蓋体２を取り外し可能な構成とすることが好ましい。
【００５０】
すなわち、蓋体２ｂを、例えばフルオープン式のプルトップ状にしておき、災害時など本当に非常時に、使用者がプルタブ７を引っ張ることにより、図４中の二点鎖線で示すように、缶体１から蓋体２を取り外して簡単に開封できる。そして、蓋体２ｂの裏面に、擦合着火部３を貼り付けておくことにより、前記実施形態と同様の作用効果を奏することができる。
【００５１】
また、上記実施形態及び変形例１，２では、いずれも缶１０をスチール製の円筒形状としているが、それらの材料をアルミニウムなどの非鉄金属、さらには合成樹脂などとしてもよく、それらの形状も円筒形状に限定されず、例えば楕円柱状や、四角柱・三角柱などの多角柱状としてもよいのはもちろんである。
【００５２】
ただし、缶１０，１０ａ，１０ｂをスチール製とするのが、防水性や防湿性を確保しつつ、その材料のリサイクル率を向上させる上で最も好ましく、また、缶１０，１０ａ，１０ｂを円筒形状とするのが、災害時やアウトドア活動の際に予期しない外圧を受けたときの強度を確保する上で最も好ましい。
【００５３】
また、上記実施形態及び変形例１，２では、缶１０，１０ａ，１０ｂ内に装填した複数のマッチ軸２０がその使用により、徐々に減少してきて、そのマッチ軸２０の軸木２１の頭薬２２が付いた側が、缶体１の壁面に対して大きく傾いてくるため、使用者がそのマッチ軸２０を缶体１から取り出しにくくなることがある。そこで、缶体１に適宜仕切部を設けて、そのマッチ軸２０の軸木２１の頭薬２２が付いた側が、缶体１の壁面に対して大きく傾いてくることを防止するようにしてもよい。この仕切部は、例えば缶体１の横断面を２分割、３分割、４分割などするものであればよい。
【図面の簡単な説明】
【００５４】
【図１】本考案の一実施形態に係る缶入りマッチの概略構成を示す分解斜視図である。
【図２】本実施形態に係る組み立て状態の缶入りマッチの側面図である。
【図３】変形例１に係る組み立て状態の缶入りマッチの側面図である。
【図４】変形例２に係る組み立て状態の缶入りマッチの側面図である。
【図５】一般的なマッチの概略構成を示す斜視図である。
【符号の説明】
【００５５】
１  缶体（缶の本体に相当する。）
２，２ａ，２ｂ  蓋体（缶の蓋に相当する。）
３  擦合着火部
４  厚紙（隔離手段に相当する。）
５  防水テープ（シール手段に相当する。）
６  上げ底
７  プルタブ（引き金に相当する。）
１０，１０ａ，１０ｂ  缶
２０  マッチ軸
２１  軸木
２２  頭薬
【図１】
0003147865.tif 000003
【図２】
0003147865.tif 000004
【図３】
0003147865.tif 000005
【図４】
0003147865.tif 000006
【図５】
0003147865.tif 000007